(57)【要約】【課題】  低コストでかつ操作性に優れたユーザインタフェース、そのユーザインタフェースを備えた画像処理装置、およびその画像処理装置を備えた画像形成装置を提供することを目的とする。【解決手段】  複数の原稿を順次読み取り、１枚の用紙上に複数の画像を出力する画像形成システムに採用されるユーザインタフェース１０であって、ユーザに向けて次の原稿の読取りを要求する追加原稿ＬＥＤ２０６ａと、ユーザにより、次の原稿の不存在を通知する操作を受ける原稿終了ボタン２０６とを備えた。【選択図】        図４
2009055224.tif 000002
【特許請求の範囲】
【請求項１】
複数の原稿を順次読み取り、１枚の用紙上に複数の画像を出力する画像形成システムに採用される、
ユーザに向けて次の原稿の読取りを要求する読取要求手段と、
ユーザにより、次の原稿の不存在を通知する操作を受ける操作手段とを備えたことを特徴とするユーザインタフェース。
【請求項２】
前記読取要求手段は、発光素子を備え、該発光素子の点灯又は点滅により次の原稿の読取りを要求するものであることを特徴とする請求項１記載のユーザインタフェース。
【請求項３】
前記画像形成システムが、１枚の用紙の両面に画像を出力する画像形成システムであって、
前記読取要求手段は、次の原稿が用紙の第１面および第２面のいずれに出力される画像を読み取るための原稿であるかに応じて異なる態様で、次の原稿の読取りを要求するものであることを特徴とする請求項１または２記載のユーザインタフェース。
【請求項４】
前記画像形成システムが、１枚の用紙の１つの面に、複数の原稿から得られた複数の入力画像を編集して得た出力画像を出力する画像形成システムであって、
前記読取要求手段は、次の原稿が、前記出力画像を構成する複数の入力画像のうちの何番目の入力画像を読み取るための原稿であるかに応じて異なる態様で、次の原稿の読取りを要求するものであることを特徴とする請求項１から３のうちのいずれか１項記載のユーザインタフェース。
【請求項５】
請求項１から４のうちのいずれか１項記載のユーザインタフェースと、
原稿から読み取って得た入力画像の数が、１枚の用紙上に出力される画像の数に足りない場合に、足りない入力画像に代わり、空欄であることを含む所定のパターンの画像を補完する画像補完手段と、
入力画像を出力画像に編集する画像編集手段とを備えたことを特徴とする画像処理装置。
【請求項６】
請求項５記載の画像処理装置、
原稿を載せる原稿台と、前記原稿台上に置かれた原稿に記録された画像を読み取る画像読取手段とを有する画像入力装置、および
前記画像処理装置で得られた出力画像を用紙上に出力する画像出力装置を備えたことを特徴とする画像形成装置。
【請求項７】
複数の原稿を順次読み取り、複数の原稿を読み取って得た複数の画像を複数の用紙に分担させて該複数の用紙上に出力する画像形成システムに採用される、
ユーザに向けて次の原稿の読取りを要求する読取要求手段と、
ユーザにより、次の原稿の不存在を通知する操作を受ける操作手段とを備えたことを特徴とするユーザインタフェース。
【請求項８】
前記読取要求手段は、発光素子を備え、該発光素子の点灯又は点滅により次の原稿の読取りを要求するものであることを特徴とする請求項７記載のユーザインタフェース。
【請求項９】
前記画像形成システムが、複数の原稿を順次読み取り、複数の原稿を読み取って得た複数の画像を１枚の用紙の両面に画像を出力するとともに複数の用紙に分担させて該複数の用紙上に出力する画像形成システムであって、
前記読取要求手段は、次の原稿が用紙の第１面および第２面のいずれに出力される画像を読み取るための原稿であるかに応じて異なる態様で、次の原稿の読取りを要求するものであることを特徴とする請求項７または８記載のユーザインタフェース。
【請求項１０】
前記画像形成システムが、複数の原稿を順次読み取り、複数の原稿を読み取って得た複数の画像を複数の用紙に分担させるとともに、各１枚の用紙の１つの面に複数の入力画像を編集して得た出力画像を出力する画像形成システムであって、
前記読取要求手段は、次の原稿が、１枚の用紙の１つの面に出力される複数の入力画像のうちの何番目の入力画像を読み取るための原稿であるかに応じて異なる態様で、次の原稿の読取りを要求するものであることを特徴とする請求項７から９のうちのいずれか１項記載のユーザインタフェース。
【請求項１１】
請求項９または１０記載のユーザインタフェースと、
原稿から読み取って得た入力画像の数が、１枚の用紙上に出力される画像の数に足りない場合に、足りない入力画像に代わり、空欄であることを含む所定のパターンの画像を補完する画像補完手段と、
入力画像を出力画像に編集する画像編集手段とを備えたことを特徴とする画像処理装置。
【請求項１２】
請求項１１記載の画像処理装置、
原稿を載せる原稿台と、前記原稿台上に置かれた原稿に記録された画像を読み取る画像読取手段とを有する画像入力装置、および
前記画像処理装置で得られた出力画像を用紙上に出力する画像出力装置を備えたことを特徴とする画像形成装置。
【発明の詳細な説明】
【技術分野】
【０００１】
本発明は、原稿を読み取って用紙上に出力する複写機やプリンタなどの画像形成システムに採用されるユーザインタフェース、そのユーザインタフェースを備えた画像処理装置、その画像処理装置を備えた画像形成装置に関する。
【背景技術】
【０００２】
従来、２枚の片面原稿を１枚の用紙の両面に出力する“両面モード”を有する画像形成装置において、両面印刷をするか否か、および両面印刷をするときの綴じ代や原稿の向きなどを指定するユーザインタフェースを備えた画像処理装置が開示されている（例えば、特許文献１参照。）。
【０００３】
また、複数枚の原稿から読み取って得た複数の入力画像データを結合して１枚の出力用紙上に出力する、いわゆる“Ｎｉｎ１モード”を有する画像形成装置において、何枚の原稿を１枚の出力画像に編集するかを示すＮの値を入力するユーザインタフェースを備えた画像処理装置が開示されている（例えば、特許文献２参照。）。
【特許文献１】特開平０４−０４１２７５号公報
【特許文献２】特開２００５−０７９８３０号公報
【発明の開示】
【発明が解決しようとする課題】
【０００４】
しかし、画像形成装置が、例えば、上記の“両面モード”、“Ｎｉｎ１モード”、複数の原稿を順次読み取り、読み取って得た複数の画像を複数の用紙に分担させて該複数の用紙上に出力する、いわゆる“丁合いモード”などの種々の特殊モードを有する画像形成装置である場合には、ユーザとの間で交換される情報量が多くなり、ユーザに情報を通知するための表示手段が複雑になるとともに、ユーザにより操作される操作手段も複雑になる。そのため、従来の画像形成装置には、ＧＵＩ（Ｇｒａｐｈｉｃａｌ  Ｕｓｅｒ  Ｉｎｔｅｒｆａｃｅ）型のユーザインタフェースが広く採用されているが、このタイプのユーザインタフェースは高機能ではあるが、コストが高いという問題がある。また、ユーザインタフェースが複雑になるにつれてユーザの操作性は低下する。
【０００５】
図１１は、従来の複写機に用いられるユーザインタフェースの例を示す図である。
【０００６】
図１１（ａ）には、従来の自動原稿読取装置付きの複写機に用いられるＧＵＩ型のユーザインタフェースに表示された追加原稿指示画面が示されている。この画面は、追加原稿についてのユーザからの指示を待つ画面の例であり、図示のように、ＧＵＩ６１上に、“中止”ボタン６１ａ、“原稿なし”ボタン６１ｂ、“原稿あり”ボタン６１ｃ、“スタート”ボタン６１ｄなどの文字情報が表示される。ユーザは、ＧＵＩ画面６１上のこれらボタンのうちのいずれか一つのボタンを押下することにより所望の処理を指示することができる。
【０００７】
図１１（ｂ）には、自動原稿読取装置で多量の原稿を読み込む際に、追加原稿の有無をユーザに問い合わせるＧＵＩ画面の例であり、図示のように、ＧＵＩ６２上に、追加原稿を行うか否かを表示する“しない”ボタン６２ａ、“する”ボタン６２ｂなどの文字情報が表示される。ユーザは、ＧＵＩ画面６２上のこれらのボタンのうちのいずれか一つのボタンを押下することにより所望の処理を選択することができる。
【０００８】
図１２は、従来の複写機における追加原稿有りを指示／表示するためのボタンおよびＬＥＤを示す図である。
【０００９】
図１２に示すように、この従来の複写機のユーザインターフェースには、ユーザが複写機に追加原稿有りを指示する追加原稿ボタン７１と、その近傍に、追加原稿有りを表示する追加原稿ＬＥＤ（Ｌｉｇｈｔ  Ｅｍｉｔｔｉｎｇ  Ｄｉｏｄｅ）７２が備えられている。
【００１０】
図１３は、従来の自動原稿読取装置付きの複写機における追加原稿ＬＥＤの点灯／消灯タイミングと追加原稿ボタンの役割を示す図である。
【００１１】
図１３に示すように、ユーザが追加原稿ボタン７１（図１２参照）を押下すると、追加原稿ＬＥＤ７２が点灯する（ステップＳ７１）。予めこの処理を行っておかないと原稿追加を行うことはできない。
【００１２】
次に、自動原稿読取装置を用いて“両面モード”、“２ｉｎ１モード”などの特殊出力モードによる出力処理を実行し（ステップＳ７２）、次に、自動原稿読取装置に原稿が存在するか否かの判定が行われる（ステップＳ７３）。
【００１３】
ステップＳ７３における判定の結果、原稿が存在する場合はステップＳ７２に戻りステップＳ７２以降の処理が繰り返される。
【００１４】
一方、ステップＳ７３における判定の結果、原稿が存在しない場合はステップＳ７４に進み追加原稿ボタン７１が予め押下されて追加原稿ＬＥＤ７２が点灯しているか否かの判定が行われる（ステップＳ７４）。
【００１５】
ステップＳ７４における判定の結果、追加原稿ＬＥＤ７２が点灯している場合はステップＳ７５に進み追加原稿の入力を待ちステップＳ７２に戻りステップＳ７２以降の処理が繰り返される。
【００１６】
ステップＳ７４における判定の結果、追加原稿ＬＥＤ７２が点灯していない場合はステップＳ７６に進み不足分の原稿として白紙を入力してプリント出力処理を実行する。
【００１７】
図１４は、従来の複写機によるプラテンコピー時の追加原稿ＬＥＤの点灯／消灯タイミングと追加原稿ボタンの役割を示す図である。
【００１８】
図１４に示すように、先ず、コピー部数は１に設定されているかまたはスタック出力に設定されているかの判定が行われる（ステップＳ８１）。
【００１９】
ステップＳ８１における判定の結果、上記いずれかに設定されている場合はステップＳ８２に進み、コピーモード設定（ＧＵＩ画面による“両面モード”、“２ｉｎ１モード”などの設定）を行い、ユーザによる“スタート”ボタン６１ｄ（図１１参照）が行われると（ステップＳ８３）、原稿読取りが行われる（ステップＳ８４）。
【００２０】
次に、出力画像１枚分の原稿読取りが終了したか否かの判定が行われる（ステップＳ８５）。
【００２１】
ステップＳ８５における判定の結果、出力画像１枚分の原稿読取りが終了していない場合には、ユーザによる“スタート”ボタン６１ｄ（図１１参照）の押下（ステップＳ８６）を待って、ステップＳ８４に戻りステップＳ８４以降の処理が繰り返される。
【００２２】
一方、ステップＳ８５における判定の結果、出力画像１枚分の原稿読取りが終了している場合にはステップＳ８７に進み設定されたコピー部数のプリント出力が行われる。
【００２３】
一方、ステップＳ８１における判定の結果、上記いずれの設定も行われていない場合、すなわち“丁合いモード”に設定されている場合にはステップＳ８８に進みコピーモード設定（ＧＵＩ画面による“両面モード”、“２ｉｎ１モード”などの設定）が行われ、次に、ユーザにより、追加原稿ボタン７１（図１２参照）の押下が行われると（ステップＳ８９）、追加原稿ＬＥＤ７２（図１２参照）が点灯する（ステップＳ９０）。
【００２４】
次に、ユーザによる“スタート”ボタン６１ｄ（図１１参照）の押下（ステップＳ９１）を待って、ステップＳ９２に進み原稿読取りが行われる。
【００２５】
次に、出力画像１枚分の原稿読取りが終了したか否かの判定が行われる（ステップＳ９３）。
【００２６】
ステップＳ９３における判定の結果、出力画像１枚分の原稿読取りが終了している場合にはステップＳ９４に進み出力画像を編集し所定の記憶域に記憶する。次に、ユーザにより追加原稿ボタン７１（図１２参照）の押下が行われたか否かの判定が行われる（ステップＳ９５）。
【００２７】
ステップＳ９５における判定の結果、追加原稿ボタン７１の押下が行われた場合には、ユーザによる“スタート”ボタン６１ｄ（図１１参照）の押下（ステップＳ９６）を待って、ステップＳ９２に戻りステップＳ９２以降の処理が繰り返される。
【００２８】
一方、ステップＳ９５における判定の結果、追加原稿ボタン７１の押下が行われていない場合には、記憶されている出力画像を設定されたコピー部数分だけ出力する（ステップＳ９７）。
【００２９】
一方、ステップＳ９３における判定の結果、出力画像１枚分の原稿読取りが終了していない場合には、ユーザによる追加原稿ボタン７１の押下が行われたか否かの判定が行われる（ステップＳ９８）。
【００３０】
ステップＳ９８における判定の結果、追加原稿ボタン７１の押下が行われていない場合には、ユーザによる“スタート”ボタン６１ｄ（図１１参照）の押下（ステップＳ１００）を待って、ステップＳ９２に戻りステップＳ９２以降の処理が繰り返される。
【００３１】
一方、ステップＳ９８における判定の結果、追加原稿ボタン７１の押下が行われた場合には、不足分の入力画像を白紙ページで補完して出力画像を編集し、所定の記憶域に記憶し（ステップＳ９９）、次に、記憶されている出力画像を設定されたコピー部数分だけ出力する（ステップＳ９７）。
【００３２】
上記のように、従来の複写機では、ユーザインタフェースとしてＧＵＩという高コストのデバイスが必要であり、さらに、ＧＵＩ画面６１（図１１（ａ）参照）およびＧＵＩ画面６２（図１１（ｂ）参照）を始め多数のＧＵＩ画面を用意しなければならず、そのため、コスト高となり安いという問題がある。
【００３３】
また、上記のように、多数のＧＵＩ画面によって操作を詳しくガイダンスしてくれるので、ユーザにとってわかりやすいという利点がある反面、画面操作が複雑となり必ずしも操作性がよいとはいえない。
【００３４】
また、１枚の用紙の１つの面に、複数の原稿から得られた複数の入力画像を編集して得た出力画像を出力する、いわゆる“２ｉｎ１モード”は自動原稿読取装置なしでは実現できないという問題もある。
【００３５】
本発明は、上記事情に鑑み、低コストでかつ操作性に優れたユーザインタフェース、そのユーザインタフェースを備えた画像処理装置、およびその画像処理装置を備えた画像形成装置を提供することを目的とする。
【課題を解決するための手段】
【００３６】
本発明の請求項１のユーザインタフェースは、複数の原稿を順次読み取り、１枚の用紙上に複数の画像を出力する画像形成システムに採用される、ユーザに向けて次の原稿の読取りを要求する読取要求手段と、ユーザにより、次の原稿の不存在を通知する操作を受ける操作手段とを備えたことを特徴とする。
【００３７】
ここで、本発明の請求項２のユーザインタフェースは、前記読取要求手段が、発光素子を備え、該発光素子の点灯又は点滅により次の原稿の読取りを要求するものであってもよい。
【００３８】
また、本発明の請求項３のユーザインタフェースは、前記画像形成システムが、１枚の用紙の両面に画像を出力する画像形成システムであって、前記読取要求手段は、次の原稿が用紙の第１面および第２面のいずれに出力される画像を読み取るための原稿であるかに応じて異なる態様で、次の原稿の読取りを要求するものであってもよい。
【００３９】
また、本発明の請求項４のユーザインタフェースは、前記画像形成システムが、１枚の用紙の１つの面に、複数の原稿から得られた複数の入力画像を編集して得た出力画像を出力する画像形成システムであって、前記読取要求手段は、次の原稿が、前記出力画像を構成する複数の入力画像のうちの何番目の入力画像を読み取るための原稿であるかに応じて異なる態様で、次の原稿の読取りを要求するものであってもよい。
【００４０】
また、本発明の請求項５の画像処理装置は、請求項１から４のうちのいずれか１項記載のユーザインタフェースと、原稿から読み取って得た入力画像の数が、１枚の用紙上に出力される画像の数に足りない場合に、足りない入力画像に代わり、空欄であることを含む所定のパターンの画像を補完する画像補完手段と、入力画像を出力画像に編集する画像編集手段とを備えたことを特徴とする。
【００４１】
また、本発明の請求項６の画像形成装置は、請求項５記載の画像処理装置、原稿を載せる原稿台と、前記原稿台上に置かれた原稿に記録された画像を読み取る画像読取手段とを有する画像入力装置、および前記画像処理装置で得られた出力画像を用紙上に出力する画像出力装置を備えたことを特徴とする。
【００４２】
また、本発明の請求項７のユーザインタフェースは、複数の原稿を順次読み取り、複数の原稿を読み取って得た複数の画像を複数の用紙に分担させて該複数の用紙上に出力する画像形成システムに採用される、ユーザに向けて次の原稿の読取りを要求する読取要求手段と、ユーザにより、次の原稿の不存在を通知する操作を受ける操作手段とを備えたことを特徴とする。
【００４３】
また、本発明の請求項８のユーザインタフェースは、前記読取要求手段は、発光素子を備え、該発光素子の点灯又は点滅により次の原稿の読取りを要求するものであることを特徴とする。
【００４４】
また、本発明の請求項９のユーザインタフェースは、前記画像形成システムが、複数の原稿を順次読み取り、複数の原稿を読み取って得た複数の画像を１枚の用紙の両面に画像を出力するとともに複数の用紙に分担させて該複数の用紙上に出力する画像形成システムであって、前記読取要求手段は、次の原稿が用紙の第１面および第２面のいずれに出力される画像を読み取るための原稿であるかに応じて異なる態様で、次の原稿の読取りを要求するものであることを特徴とする。
【００４５】
また、本発明の請求項１０のユーザインタフェースは、前記画像形成システムが、複数の原稿を順次読み取り、複数の原稿を読み取って得た複数の画像を複数の用紙に分担させるとともに、各１枚の用紙の１つの面に複数の入力画像を編集して得た出力画像を出力する画像形成システムであって、前記読取要求手段は、次の原稿が、１枚の用紙の１つの面に出力される複数の入力画像のうちの何番目の入力画像を読み取るための原稿であるかに応じて異なる態様で、次の原稿の読取りを要求するものであることを特徴とする。
【００４６】
また、本発明の請求項１１の画像処理装置は、請求項９または１０記載のユーザインタフェースと、原稿から読み取って得た入力画像の数が、１枚の用紙上に出力される画像の数に足りない場合に、足りない入力画像に代わり、空欄であることを含む所定のパターンの画像を補完する画像補完手段と、入力画像を出力画像に編集する画像編集手段とを備えたことを特徴とする。
【００４７】
また、本発明の請求項１２の画像形成装置は、請求項１１記載の画像処理装置、原稿を載せる原稿台と、前記原稿台上に置かれた原稿に記録された画像を読み取る画像読取手段とを有する画像入力装置、および前記画像処理装置で得られた出力画像を用紙上に出力する画像出力装置を備えたことを特徴とする。
【発明の効果】
【００４８】
請求項１に記載の発明によれば、低コストでかつ操作性に優れたユーザインタフェースを実現することができる。
【００４９】
また、請求項２に記載の発明によれば、低コストでかつ操作性に優れたユーザインタフェースを実現することができる。
【００５０】
また、請求項３に記載の発明によれば、１枚の用紙の両面に画像を出力する、いわゆる“両面モード”に対応した画像形成システムに採用される、低コストでかつ操作性に優れたユーザインタフェースを実現することができる。
【００５１】
また、請求項４に記載の発明によれば、複数枚の原稿から読み取って得た複数の入力画像データを結合して１枚の出力用紙上に出力する、いわゆる“Ｎｉｎ１モード”に対応した画像形成システムに採用される、低コストでかつ操作性に優れたユーザインタフェースを実現することができる。
【００５２】
また、請求項５に記載の発明によれば、低コストでかつ操作性に優れたユーザインタフェースと、原稿から読み取って得た入力画像の数が、１枚の用紙上に出力される画像の数に足りない場合に、画像を補完する画像補完動作を自動的に実行する機能を備えた画像処理装置を実現することができる。
【００５３】
また、請求項６に記載の発明によれば、低コストでかつ操作性に優れたユーザインタフェースを備えた画像処理装置を具備する画像形成装置を実現することができる。
【００５４】
また、請求項７に記載の発明によれば、複数の原稿を順次読み取り、複数の原稿を読み取って得た複数の画像を複数の用紙に分担させて該複数の用紙上に出力する、いわゆる“丁合いモード”に対応した画像形成システムに採用される、低コストでかつ操作性に優れたユーザインタフェースを実現することができる。
【００５５】
また、請求項８に記載の発明によれば、複数の原稿を順次読み取り、複数の原稿を読み取って得た複数の画像を複数の用紙に分担させて該複数の用紙上に出力する、いわゆる“丁合いモード”と、１枚の用紙の両面に画像を出力する、いわゆる“両面モード”とを備えた画像形成システムに採用される、低コストでかつ操作性に優れたユーザインタフェースを実現することができる。
【００５６】
また、請求項９に記載の発明によれば、複数の原稿を順次読み取り、複数の原稿を読み取って得た複数の画像を複数の用紙に分担させて該複数の用紙上に出力する、いわゆる“丁合いモード”と、１枚の用紙の両面に画像を出力する、いわゆる“両面モード”とを備えた画像形成システムに採用される、低コストでかつ操作性に優れたユーザインタフェースを実現することができる。
【００５７】
また、請求項１０に記載の発明によれば、複数の原稿を順次読み取り、複数の原稿を読み取って得た複数の画像を複数の用紙に分担させて該複数の用紙上に出力する、いわゆる“丁合いモード”と、１枚の用紙の１つの面に、複数の原稿から得られた複数の入力画像を編集して得た出力画像を出力する、いわゆる“Ｎｉｎ１モード”とを備えた画像形成システムに採用される、低コストでかつ操作性に優れたユーザインタフェースを実現することができる。
【００５８】
また、請求項１１に記載の発明によれば、請求項９または１０記載のユーザインタフェースを備えた、低コストでかつ操作性の優れた画像処理装置を実現することができる。
【００５９】
また、請求項１２に記載の発明によれば、請求項９または１０記載の画像処理装置を備えた、低コストでかつ操作性に優れた画像形成装置を実現することができる。
【発明を実施するための最良の形態】
【００６０】
以下図を参照して本発明の実施の形態を説明する。
【００６１】
図１は、本発明の一実施形態の画像形成装置が適用された複写機の外観図である。
【００６２】
図１に示すように、この複写機１００は、装置本体１５０と装置本体１５０上に設けられた自動原稿読取装置１１０とから構成されている。
【００６３】
この複写機１００は、装置本体１５０上部に設けられた原稿台１５１に載せられた原稿から画像データを読み取る固定原稿読取装置（図６参照）、および装置本体１５０上部の原稿台１５１上に重ねて配備された、複数枚の原稿を順次取り込み取り込んだ原稿から画像データを読み取る自動原稿読取装置１１０（図６参照）の２つの画像入力装置を備えている。これらの画像入力装置は、ＣＣＤ（Ｃｈａｒｇｅ  Ｃｏｕｐｌｅｄ  Ｄｅｖｉｃｅ）により原稿に記録されている画像を読み取って入力画像データを取得する。
【００６４】
装置本体１５０は、上記の２つの画像入力装置のほかに、画像入力装置で取得した入力画像データに画像処理を施して出力画像データを作成するための制御を司る制御部１２０（図３参照）および出力画像データを出力用紙上に出力する画像出力装置１３０（図２参照）を内蔵するとともに、装置本体上部に、ユーザにより操作されるユーザインターフェース１０、装置本体下部に、各種サイズの出力用紙が収納される複数の給紙トレイ１７０を備えている。
【００６５】
画像出力装置１３０は、１枚の片面原稿から読み取った入力画像データをそのまま１枚の用紙の片面に出力する“通常モード”、１枚の用紙の両面に画像を出力する“両面モード”、１枚の用紙の１つの面に、複数の原稿から得られた複数の入力画像を編集して得た出力画像を出力する“Ｎｉｎ１モード”、および複数の原稿を順次読み取り、複数の原稿を読み取って得た複数の画像を複数の用紙に分担させて該複数の用紙上に出力する“丁合いモード”のうちのいずれのモードにも対応できるようになっている。
【００６６】
なお、“Ｎｉｎ１モード”には、“２ｉｎ１モード”、“４ｉｎ１モード”、“６ｉｎ１モード”、…の各モードが存在するが、以下には、説明の都合上、代表的な“２ｉｎ１モード”についてのみ説明する。
【００６７】
また、上記ユーザインターフェース１０は、ユーザの操作に応じて、上記の“通常モード”、“両面モード”、“２ｉｎ１モード”、および“丁合いモード”のいずれのモードをも選択することができるようになっている。
【００６８】
図２は、図１に示す複写機のハードウエア構成図である。
【００６９】
図２に示すように、この複写機１００は、ハードウエア的には上記の画像入力装置１１０、図３に示す制御部１２０、および電子写真方式の画像形成システムを含む画像出力装置１３０から構成されている。
【００７０】
図３は、図１に示す複写機における制御部の概略構成図である。
【００７１】
図３に示すように、この制御部１２０は、ユーザとのインターフェースであるユーザインターフェース（ＵＩ）１２１、画像入力装置１１０および画像出力装置１３０を含む各部の制御を司るとともに画像処理動作を担うＣＰＵ１２２（中央処理ユニット）、制御ソフトウェアを格納するＲＯＭ（Ｒｅａｄ  Ｏｎｌｙ  Ｍｅｍｏｒｙ）１２３、制御ソフトウェアのワークエリアとして用いられるＲＡＭ（Ｒａｎｄｏｍ  Ａｃｃｅｓｓ  Ｍｅｍｏｒｙ）１２４、ＣＰＵ１２２と画像入力装置１１０（図２参照）および画像出力装置１３０とを接続する入出力制御部（Ｉ／Ｏ）１２５、および制御部１２０内の各部を結合するシステムバス１２６で構成されている。
【００７２】
次に、上記の複写機に形成される本発明の一実施形態である画像形成装置について説明する。
【００７３】
図４は、本実施形態のユーザインタフェースの概要図である。
【００７４】
本実施形態のユーザインタフェースは、複数の原稿を順次読み取り、１枚の用紙上に複数の画像を出力する画像形成システムに採用されるユーザインタフェースであって、図４に示すように、“スタート”ボタン２０１、“ストップ”ボタン２０２、“丁合いモード”設定ボタン２０３、“両面モード”設定ボタン２０４、“２ｉｎ１モード”設定ボタン２０５、原稿終了ボタン２０６、コピー部数設定ボタン２０７、およびコピー部数表示画面２０８を備えている。
【００７５】
なお、“丁合いモード”設定ボタン２０３、“両面モード”設定ボタン２０４、 “２ｉｎ１モード”設定ボタン２０５、および原稿終了ボタン２０６は、それぞれ、発光素子を内蔵している。本実施形態では、発光素子としてＬＥＤを用いている。これらのボタンがユーザによって押下されると、ボタンに内蔵されたＬＥＤが点灯するようになっている。
【００７６】
なお、原稿終了ボタン２０６は、点灯又は点滅により次の原稿の読取りを要求するボタンである。
【００７７】
“スタート”ボタン２０１は、ユーザ操作によりコピー動作の開始を指示する。より詳しくはコピーに必要な原稿のスキャン開始を指示する。従って、“２ｉｎ１モード”などのように、複数枚の原稿をスキャンする必要がある場合には、原稿の枚数と同じ回数だけ押下する必要がある。
【００７８】
“ストップ”ボタン２０２は、“スタート”ボタン２０１の押下により開始された処理を途中で終了させるために使用される。
【００７９】
“丁合いモード”設定ボタン２０３は、“丁合いモード”と“通常モード”とを切り替えるためのトグル式のボタンであり、押下される毎に“丁合いモード”と“通常モード”とが交互に切り替えられるようになっている。この“丁合いモード”設定ボタン２０３の押下により“丁合いモード”が選択されるとボタンに内蔵されたＬＥＤが点灯又は点滅する。
【００８０】
“両面モード”設定ボタン２０４は、“通常モード”、すなわち片面モードと、“両面モード”とを切り替えるためのトグル式のボタンであり、押下される毎に“両面モード”と片面モードとが交互に切り替えられるようになっている。この“両面モード”設定ボタン２０３の押下により“両面モード”が選択されるとボタンに内蔵されたＬＥＤが点灯又は点滅する。
【００８１】
“２ｉｎ１モード”切り替えボタン２０５は、原稿２枚分の入力画像をスキャンしそれぞれ７０％縮小して、用紙１枚分の出力画像として出力する“２ｉｎ１モード”と、“通常モード”とを切り替えるためのトグル式のボタンであり、押下される毎に“２ｉｎ１モード”と“通常モード”とが交互に切り替えられるようになっている。この“２ｉｎ１モード”切り替えボタン２０５の押下により“２ｉｎ１モード”が選択されるとこのボタンに内蔵されたＬＥＤが点灯又は点滅する。
【００８２】
原稿終了ボタン２０６には、発光素子として、追加原稿ＬＥＤ２０６ａが内蔵されている。
【００８３】
ユーザが、この追加原稿ＬＥＤ２０６ａが点灯したことを知ったときに、読み取るべき次の原稿が有る場合には、原稿台３ａ上に次の原稿を載せてから“スタート”ボタン２０１（図４参照）を押下すればよい。また、読み取るべき次の原稿が無い場合には、この原稿終了ボタン２０６を押下すればよい。原稿終了ボタン２０６の押下により、ユーザから複写機１００に対し次の原稿を読む必要はなく原稿読取りを終了してもよい旨が通知される。複写機１００は原稿終了ボタン２０６が押下されたことを受けて追加原稿ＬＥＤ２０６ａを消灯し、原稿読取り動作を終了する。
【００８４】
なお、自動原稿読取装置を用いて画像形成を行うときには、自動原稿読取装置が原稿の有無を自動的に判定するので上記原稿終了ボタン２０６および追加原稿ＬＥＤ２０６ａは動作しない。
【００８５】
なお、本実施形態における原稿終了ボタン２０６は、本発明にいう、操作手段の一例に相当するものであり、また、本実施形態における追加原稿ＬＥＤ２０６ａは、本発明にいう読取要求手段の一例に相当するものである。
【００８６】
コピー部数設定ボタン２０７は、ユーザの希望するコピー部数を設定するためのものであり、上向き矢印ボタン２０７ａおよび下向き矢印ボタン２０７ｂからなっている。ユーザにより上向き矢印ボタン２０７ａが押下されると９９枚を上限としてコピー部数は増加し、下向き矢印ボタン２０７ｂが押下されるとコピー部数は１枚を下限として減少するようになっている。
【００８７】
コピー部数表示画面２０８は、コピー部数設定ボタン２０７により設定されたコピー部数を表示する。
【００８８】
なお、このユーザインタフェース１０は、上記画像形成システムが、いわゆる“両面モード”に対応した画像形成システムであって、上記追加原稿ＬＥＤ２０６ａは、次の原稿が用紙の第１面および第２面のいずれに出力される画像を読み取るための原稿であるかに応じて異なる態様で、次の原稿の読取りを要求するようになっている。
【００８９】
また、このユーザインタフェース１０は、上記画像形成システムが、いわゆる“２ｉｎ１モード”に対応した画像形成システムであって、上記追加原稿ＬＥＤ２０６ａは、次の原稿が、前記出力画像を構成する複数の入力画像のうちの何番目の入力画像を読み取るための原稿であるかに応じて異なる態様で、次の原稿の読取りを要求するようになっている。
【００９０】
また、このユーザインタフェース１０は、いわゆる“丁合いモード”に対応した画像形成システムに採用されるユーザインタフェースであってもよい。
【００９１】
また、このユーザインタフェース１０は、上記画像形成システムが、いわゆる“丁合いモード”と、“両面モード”とに対応した画像形成システムであって、上記追加原稿ＬＥＤ２０６ａは、次の原稿が用紙の第１面および第２面のいずれに出力される画像を読み取るための原稿であるかに応じて異なる態様で、次の原稿の読取りを要求するようになっている。
【００９２】
また、このユーザインタフェース１０は、上記画像形成システムが、いわゆる“２ｉｎ１モード”と“丁合いモード”の双方に対応した画像形成システムであって、上記追加原稿ＬＥＤ２０６ａは、次の原稿が、１枚の用紙の１つの面に出力される複数の入力画像のうちの何番目の入力画像を読み取るための原稿であるかに応じて異なる態様で、次の原稿の読取りを要求するようになっている。
【００９３】
図５は、本実施形態の画像処理装置の概略構成図である。
【００９４】
図５に示すように、本実施形態の画像処理装置２は、複数の原稿を順次読み取り、１枚の用紙上に複数の画像を出力する画像形成システムに採用されるユーザインタフェース１０と、原稿から読み取って得た入力画像の数が、１枚の用紙上に出力される画像の数に足りない場合に、足りない入力画像に代わり、空欄であることを含む所定のパターンの画像を補完する画像補完手段２０と、入力画像を出力画像に編集する画像編集手段３０とを備えている。
【００９５】
図６は、本実施形態の画像形成装置の概略構成図である。
【００９６】
本実施形態の画像形成装置１は、図６に示すように、画像処理装置２（図５参照）と、原稿を載せる原稿台３ａと、原稿台３ａ上の原稿に記録された画像を読み取る画像読取手段３ｂとを有する画像入力装置３、および画像処理装置２で得られた出力画像を用紙上に出力する画像出力装置４を備えている。画像読取手段３ｂとしては、固定原稿読取装置３ｃと自動原稿読取装置１１０（図１参照）が備えられている。
【００９７】
図７は、本実施形態に用いられる追加原稿ＬＥＤの点灯パターンを示す図である。
【００９８】
追加原稿ＬＥＤ２０６ａ（図４参照）は、ＬＥＤの点灯又は点滅によりユーザに向けて次の原稿の読取りを要求する。ＬＥＤの点灯色又は点滅色は緑色および橙色の２色があり、点灯又は点滅のパターンは通常点灯、速い点滅、遅い点滅の３種類がある。
【００９９】
点灯色又は点滅色および点灯又は点滅のパターンは、各コピーモードによって次のように定められている。
【０１００】
“通常モード” の場合は、次の原稿の読取りを要求しているときには、図７（ａ）に示すように、追加原稿ＬＥＤ２０６ａでは「緑色・遅い点滅」が行われる。
【０１０１】
“両面モード”の場合は、次の原稿が用紙の表面および裏面のいずれに出力される画像を読み取るための原稿であるかに応じて異なる態様で次の原稿の読取りを要求する。具体的には、図７（ｂ）に示すように、用紙表面出力用の原稿の読取りを要求しているときには「緑色・遅い点滅」が行われ、用紙裏面出力用の原稿の読取りを要求しているときには「橙色・遅い点滅」が行われる。
【０１０２】
“２ｉｎ１モード”の場合は、次の原稿が、前記出力画像を構成する複数の入力画像のうちの何番目の入力画像を読み取るための原稿であるかに応じて異なる態様で次の原稿の読取りを要求する。具体的には、図７（ｃ）に示すように、１枚目の原稿の読取りを要求しているときには「緑色・遅い点滅」が行われ、２枚目の原稿の読取りを要求しているときには「緑色・速い点滅」が行われる。
【０１０３】
“両面モード”かつ“２ｉｎ１モード”の場合は、１枚のプリント出力を行なうのに必要な原稿枚数は４枚となる。この場合には、図７（ｄ）に示すように、表面出力用の１枚目の原稿の読取りを要求しているときには「緑色・遅い点滅」が行われ、表面出力用の２枚目の原稿の読取りを要求しているときには「緑色・速い点滅」が行われ、裏面出力用の１枚目の原稿の読取りを要求しているときには「橙色・遅い点滅」が行われ、裏面出力用の２枚目の原稿の読取りを要求しているときには「橙色・速い点滅」が行われる。
【０１０４】
なお、ＬＥＤの点灯色又は点滅色は、上記の緑色および橙色の２色に限られるものではなく、また点灯又は点滅のパターンも上記のパターンに限られるものではない。例えば、上記「緑色・遅い点滅」の代わりにもっと分かりやすい「青色・点滅」などにしてもよい。
【０１０５】
図８は、本実施形態に用いられる追加原稿ＬＥＤの点灯動作を示すフローチャートである。
【０１０６】
図８には、図９に示すフローチャートにおける、ステップＳ０５からステップＳ０６、ステップＳ０７、ステップＳ０８を経てステップＳ０５に戻るループにおける追加原稿ＬＥＤ２０６ａ（図４参照）の点灯動作が示されている。
【０１０７】
図８に示すように、原稿の読取りが行われ（ステップＳ５１）、次に、出力画像１枚分の読取りが終了したか否かの判定が行われる（ステップＳ５２）。
【０１０８】
ステップＳ５２の判定において、出力画像１枚分の読取りが終了している場合はステップＳ５３に進む。
【０１０９】
ステップＳ５３では、“丁合いモード”の場合には、追加原稿ＬＥＤ２０６ａの点灯態様を「緑色・遅い点滅」に設定し（ステップＳ５３）、出力画像を編集し編集結果を記憶させ（ステップＳ５４）、ユーザにより原稿終了ボタン２０６が押下されたか否かの判定が行われる（ステップＳ５５）。
【０１１０】
ステップＳ５５における判定の結果、ユーザにより原稿終了ボタン２０６が押下されていない場合にはステップＳ５１に戻りステップＳ５１以降の処理が繰り返される。
【０１１１】
ステップＳ５５における判定の結果、ユーザにより原稿終了ボタン２０６が押下された場合には、追加原稿ＬＥＤ２０６ａを消灯して（ステップＳ５６）処理を終了する。
【０１１２】
なお、ステップＳ５３において、“丁合いモード”でない場合には、次の原稿はないので、破線で囲んだ部分を飛び越してステップＳ５６に進み追加原稿ＬＥＤ２０６ａを消灯して処理を終了する。
【０１１３】
一方、ステップＳ５２の判定の結果、出力画像１枚分の読取りが終了していない場合はステップＳ５７に進む。
【０１１４】
ステップＳ５７では、次に読み取る画像は用紙表面に印刷するか否かの判定が行われる。
【０１１５】
ステップＳ５５の判定の結果、用紙表面に印刷する場合にはステップＳ５８に進み追加原稿ＬＥＤ２０６ａの点灯態様を「緑色・遅い点滅」に設定した後、ステップＳ６０に進む。
【０１１６】
一方、ステップＳ５５の判定の結果、用紙裏面に印刷する場合にはステップＳ５９に進み追加原稿ＬＥＤ２０６ａの点灯態様を「橙色・遅い点滅」に設定した後、ステップＳ６０に進む。
【０１１７】
ステップＳ６０では、次に読み取る画像が“２ｉｎ１モード”の２枚目に相当するものであるか否かの判定が行われる。
【０１１８】
ステップＳ６０の判定の結果、次に読み取る画像が“２ｉｎ１モード”の２枚目に相当するものである場合にはステップＳ６１に進み追加原稿ＬＥＤ２０６ａの点灯態様を「速い点滅」に再設定した後、ステップＳ６２に進む。
【０１１９】
一方、ステップＳ６０の判定の結果、次に読み取る画像が“２ｉｎ１モード”の２枚目に相当するものではない場合にはステップＳ６２に進む。
【０１２０】
ステップＳ６２では、上記の処理により設定された点灯態様に応じて追加原稿ＬＥＤ２０６ａを点滅させる。
【０１２１】
次に、ユーザにより原稿終了ボタン２０６が押下されたか否かの判定が行われる（ステップＳ６３）。
【０１２２】
ステップＳ６３における判定の結果、ユーザにより原稿終了ボタン２０６が押下されていない場合にはユーザによる”スタート”ボタン２０１の押下を待ち、”スタート”ボタン２０１が押下された後ステップＳ５１に戻りステップＳ５１以降の処理が繰り返される。
【０１２３】
ステップＳ６３における判定の結果、ユーザにより原稿終了ボタン２０６が押下された場合にはステップＳ６４に進み追加原稿ＬＥＤ２０６ａを消灯して処理を終了する。
【０１２４】
なお、図９に示すフローチャートにおける、ステップＳ１３から、ステップＳ１４、ステップＳ１５、ステップＳ１６、ステップＳ１８を経てステップＳ１３に戻るループにおける追加原稿ＬＥＤの点灯動作、および、同フローチャートにおける、ステップＳ１３から、ステップＳ１４、ステップＳ１９、ステップＳ２０を経てステップＳ１３に戻るループにおける追加原稿ＬＥＤの点灯動作も上記と同様である。
【０１２５】
次に、本実施形態の複写機１００の動作について説明する。
【０１２６】
図９は、本実施形態の複写機の動作を示すフローチャートである。
【０１２７】
コピーを開始しようとする場合は、先ず、ユーザによるユーザインターフェース１０（図４参照）を用いてのコピー部数の設定およびコピーモードの設定が行わなければならない（ステップＳ０１）。
【０１２８】
コピー部数の設定は、コピー部数設定ボタン２０７により行われる。
【０１２９】
コピーモードの設定は、“丁合いモード”設定ボタン２０３（図４参照）、“両面モード”設定ボタン２０４、および“２ｉｎ１モード”設定ボタン２０５を押下することにより行われる。これらのいずれのボタンも押下されないときは、１枚の片面原稿をそのまま１枚の用紙片面にコピーする“通常モード”でのコピーが行われる。
【０１３０】
コピー部数およびコピーモードの設定が終了した後、ユーザにより”スタート”ボタン２０１（図４参照）が押下されると（ステップＳ０２）、コピーモードが“丁合いモード”に設定されているか否かの判定が行われる（ステップＳ０３）。なお、ステップＳ０２で”スタート”ボタン２０１が押下されるまでは、コピーモードが変更される可能性があるので追加原稿ＬＥＤ２０６ａ（図４参照）は消灯したままである。
【０１３１】
この複写機１００では、コピーモードが“丁合いモード”に設定されているか否かによって動作は２通りに分かれる。ただし、コピー部数が１で“丁合いモード”を選択した場合には、コピー部数が１で“丁合いモード” を選択しなかった場合と同じ出力結果になる。
【０１３２】
ステップＳ０３の判定の結果、コピーモードが“丁合いモード”に設定されていなかったと判定された場合にはステップＳ０４に進み、ステップＳ０３の判定の結果、コピーモードが“丁合いモード”に設定されていると判定された場合にはステップＳ１２に進む。
【０１３３】
先ず、ステップＳ０３の判定の結果、コピーモードが“丁合いモード”に設定されていないと判定された場合の動作について説明する。
【０１３４】
ステップＳ０４では追加原稿ＬＥＤ２０６ａ（図１２参照）が図７に示す態様で点灯される（ステップＳ０４）。
【０１３５】
次に、原稿の読取りが行われ（ステップＳ０５）、次に、用紙１枚に出力される分の原稿の読取りが終了したか否かの判定が行われる（ステップＳ０６）。
【０１３６】
ここで、“両面モード”および“２ｉｎ１モード”のいずれのモードにも設定されていない場合は、原稿読取りは終了しているので、ステップＳ０６の判定の結果、ステップＳ１０に進み、追加原稿ＬＥＤ２０６ａを消灯した後、指定されたコピー部数分プリント出力し（ステップＳ１１）、処理を終了する。
【０１３７】
一方、“両面モード”または“２ｉｎ１モード”のいずれか一方に設定されている場合、または“両面モード”かつ“２ｉｎ１モード”に設定されている場合には、単純に原稿を読み取ってプリントするわけにはいかない。なぜなら、これらのモードでは、１枚のプリント出力を行なうためには少なくとも２枚の原稿を読み取る必要があるからである。そこで、これらのモードの場合には、ステップＳ０６において用紙１枚に出力される分の原稿の読取りが終了していないと判定された場合はステップＳ０７に進み、ユーザにより原稿終了ボタン２０６が押下されたか否かの判定が行われる。
【０１３８】
ステップＳ０７における判定の結果、ユーザにより原稿終了ボタン２０６が押下されていない場合にはステップＳ０８に進み、ユーザによる”スタート”ボタン２０１（図４参照）の押下を待ち、”スタート”ボタン２０１が押下されるとステップＳ０５に戻りステップＳ０５以降の処理が繰り返される。
【０１３９】
一方、ステップＳ０７における判定の結果、ユーザにより原稿終了ボタン２０６が押下された場合にはステップＳ０９に進む。ステップＳ０９で、ユーザにより原稿終了ボタン２０６が押下されたということから、複写機は次に読み取るべき原稿はない旨の通知をユーザから受けたとして、原稿読取りを中止し、不足分の入力画像を白紙ページで補完して出力画像を編集する（ステップＳ０９）。
【０１４０】
例えば、“両面モード”かつ“２ｉｎ１モード”に設定されている場合には、最大４枚の原稿が要求される。しかし、ユーザが、３枚の原稿を用意し、出力用紙裏面の片側は白紙で出力したいと希望した場合は、４枚目の原稿が要求されたときに原稿終了ボタン２０６を押下すればよい。この場合、画像補完手段（図５参照）は、原稿から読み取って得た入力画像の数が、１枚の用紙上に出力される画像の数に足りない場合には、足りない入力画像に代わり、空欄であることを含む所定のパターンの画像（本実施形態では白紙ページ）を補完するようになっている。
【０１４１】
次に、ステップＳ１０では、追加原稿ＬＥＤ２０６ａを消灯した後、指定されたコピー部数分のプリントを行った（ステップＳ１１）後、処理を終了する。
【０１４２】
次に、コピーモードが“丁合いモード”に設定されている場合の動作について説明する。
【０１４３】
先ず、“両面モード”にも“２ｉｎ１モード”にも設定されていない場合について説明する。この場合は前述の“非丁合いモード”とは異なり、原稿を１枚読み込んだ直後にはプリント出力は行われない。すなわち、この“丁合いモード”では、”スタート”ボタン２０１がユーザにより押下（ステップＳ０２）されると、追加原稿ＬＥＤ２０６ａは「緑色・遅い点滅」となり（ステップＳ１２）、原稿読取りが行われ（ステップＳ１３）、次に、用紙１枚に出力される分の原稿読取りが終了したか否かの判定が行われる（ステップＳ１４）。
【０１４４】
ステップＳ１４における判定の結果、用紙１枚に出力される分の原稿読取りが終了している場合は、画像編集手段３０（図５参照）は、原稿を読み取って得た入力画像を出力画像に編集して所定の記憶域に記憶する（ステップＳ１５）。次にステップＳ１６に進みユーザにより原稿終了ボタン２０６が押下されたか否かの判定が行われる。ここで、原稿終了ボタン２０６が押下されたか否かにより“丁合い”処理を終了するか継続するかが決定される。
【０１４５】
ステップＳ１６における判定の結果、原稿終了ボタン２０６が押下された場合には、“丁合い”処理を終了し、上記記憶域に記憶されている出力画像を、設定されたコピー部数分だけ出力し（ステップＳ１７）、処理を終了する。
【０１４６】
一方、ステップＳ１６における判定の結果、原稿終了ボタン２０６が押下されない場合には、“丁合い”処理は継続される。すなわち、ステップＳ１８に進み、ユーザによる”スタート”ボタン２０１（図４参照）の押下を待ち、”スタート”ボタン２０１が押下されるとステップＳ１３に戻りステップＳ１３以降の処理が繰り返される。
【０１４７】
一方、ステップＳ１４における判定の結果、用紙１枚に出力される分の原稿読取りが終了していない場合は、ステップＳ１９に進み、ユーザにより原稿終了ボタン２０６が押下されたか否かの判定が行われる。
【０１４８】
ステップＳ１９における判定の結果、ユーザにより原稿終了ボタン２０６が押下されていない場合にはステップＳ２０に進み、ユーザによる”スタート”ボタン２０１（図４参照）の押下を待ち、”スタート”ボタン２０１が押下されるとステップＳ１３に戻りステップＳ１３以降の処理が繰り返される。
【０１４９】
一方、ステップＳ１９における判定の結果、ユーザにより原稿終了ボタン２０６が押下された場合にはステップＳ２１に進む。ステップＳ２１では、ステップＳ１９においてユーザにより原稿終了ボタン２０６が押下されていることから、次に読み取るべき原稿はない旨の通知をユーザから受けたとして原稿読取りを中止する。画像補完手段２０（図５参照）は、原稿から読み取って得た入力画像の数が、１枚の用紙上に出力される画像の数に足りないので、不足分の入力画像に代わり、空欄であることを含む所定のパターンの画像（白紙ページ）を補完し、画像編集手段３０（図５参照）は入力画像を出力画像に編集し、その編集結果を所定の記憶域に記憶する（ステップＳ２１）。
【０１５０】
次に、ステップＳ１７に進み上記記憶域に記憶されている出力画像を、設定されたコピー部数分だけ出力し、処理を終了する。
【０１５１】
なお、“丁合いモード”の場合は、エラーや読み込み容量の限界を超えるなどしない限り、原則として追加原稿ＬＥＤ２０６ａが消灯することはない。
【０１５２】
次に、“両面モード”および“２ｉｎ１モード”と組合わせた場合について説明する。
【０１５３】
最初に、”スタート”ボタン２０１が押下されることにより、追加原稿ＬＥＤ２０６ａが点灯する（ステップＳ１２）。ＬＥＤの点灯の態様は“非丁合いモード”とほぼ同様である。ただし、“非丁合いモード”の場合には「消灯」して出力が開始されるタイミングで次の出力画像用の原稿が要求されるが、“両面モード”かつ“２ｉｎ１モード”の場合には、消灯の代わりに次の出力原稿のために表面出力用の“２ｉｎ１モード”の最初の原稿が要求されるため、”スタート”ボタン２０１を押下する毎に「緑色・速い点滅」→「橙色・遅い点滅」→「橙色・速い点滅」→「緑色・遅い点滅」の繰り返しとなる。
【０１５４】
また、“２ｉｎ１モード”のみの場合には「緑色・速い点滅」→「緑色・遅い点滅」の繰り返しとなる。
【０１５５】
また、“両面モード”のみの場合には「橙色・遅い点滅」→「緑色・遅い点滅」の繰り返しとなる。
【０１５６】
いずれの場合にも入力原稿がなくなった時点でユーザが追加原稿ＬＥＤ２０６ａを押下することによりプリントが開始される。このとき“両面モード”や“２ｉｎ１モード”など複数の原稿で１枚の出力用紙を構成するモードの場合に、１枚の用紙上に出力される画像の数が足りないことがある。その場合には、により、１枚の用紙上に出力される画像の数に足りない場合に、足りない入力画像に代わり、空欄であることを含む所定のパターンの画像（本実施形態では白紙ページ）を補完し、画像編集手段３０（図５参照）により、入力画像を出力画像に編集して出力するようになっている。
【０１５７】
このように、本実施形態では、画像補完手段２０（図５参照）により不足分を白紙ページで補完する機能を有しているので、例えば、“２ｉｎ１モード”や“両面モード”、またはそれらが混在した場合で、かつ原稿枚数が奇数枚のときに、ユーザは、白紙原稿を追加して原稿枚数を偶数枚にする必要がない。従って、ユーザインタフェースの操作性が向上する。
【０１５８】
以上説明したように、本実施形態によれば、低コストでかつ操作性に優れたユーザインタフェース、そのユーザインタフェースを備えた画像処理装置、およびその画像処理装置を備えた画像形成装置を実現することができる。
【０１５９】
次に、上記の実施形態を変形した他の態様について説明する。
【０１６０】
この態様では、“丁合いモード”の時に、最初の用紙１枚分の出力画像が出力可能な状態となった時点で直ちに１枚目の出力画像を出力し、２枚目以降の出力画像は所定の記憶域に記憶しておき、２枚目以降の出力画像が全て出力可能な状態となった時点で２枚目以降の出力画像を出力するようにしている。
【０１６１】
図１０は、本実施形態の他の態様の複写機の動作を示すフローチャートである。
【０１６２】
図１０に示すフローチャートは、図９に示すフローチャートと類似しており、ステップＳ０４からステップＳ１１までのルーチンは同一であるが、ステップＳ１２以降のルーチンが相違している。
【０１６３】
すなわち、この態様では、ステップＳ１５で原稿を読み取って得た入力画像を出力画像に編集して所定の記憶域に記憶した後、ステップＳ３１において、ステップＳ１５で編集された出力画像のうち最初の１枚目の出力画像を出力するようにしている。
【０１６４】
また、ステップＳ２１で不足分の入力画像に代わり、白紙ページを補完して出力画像を編集し記憶した後、ステップＳ３３において、ステップＳ２１で編集された出力画像のうち最初の１枚目の出力画像を出力するようにしている。
【０１６５】
また、ステップＳ３２では、記憶している出力画像のうち、設定されたコピー部数から１部差し引いた部数を出力するようにしている。
【０１６６】
上記のように構成することによって“丁合いモード”時の処理時間を短縮することができる。
【図面の簡単な説明】
【０１６７】
【図１】本発明の一実施形態の画像形成装置が適用された複写機の外観図である。
【図２】図１に示す複写機のハードウエア構成図である。
【図３】図１に示す複写機における制御部の概略構成図である。
【図４】本実施形態のユーザインタフェースの外観図である。
【図５】本実施形態の画像処理装置の概略構成図である。
【図６】本実施形態の画像形成装置の概略構成図である。
【図７】本実施形態に用いられる追加原稿ＬＥＤの点灯パターンを示す図である。
【図８】本実施形態に用いられる追加原稿ＬＥＤの点灯動作を示すフローチャートである。
【図９】本実施形態の複写機の動作を示すフローチャートである。
【図１０】本実施形態の他の態様の複写機の動作を示すフローチャートである。
【図１１】従来の複写機に用いられるユーザインタフェースの例を示す図である。
【図１２】従来の複写機における追加原稿有りを指示／表示するためのボタンおよびＬＥＤを示す図である。
【図１３】従来の自動原稿読取装置付きの複写機における追加原稿ＬＥＤの点灯／消灯タイミングと追加原稿ボタンの役割を示す図である。
【図１４】従来の複写機によるプラテンコピー時の追加原稿ＬＥＤの点灯／消灯タイミングと追加原稿ボタンの役割を示す図である。
【符号の説明】
【０１６８】
１    画像形成装置
２    画像処理装置
３    画像入力装置
３ａ    原稿台
３ｂ    画像読取手段
３ｃ    固定原稿読取装置
４    画像出力装置
１０    ユーザインタフェース
２０    画像補完手段
３０    画像編集手段
６１    ＧＵＩ
６１ａ    “中止”ボタン
６１ｂ    “原稿なし”ボタン
６１ｃ    “原稿あり”ボタン
６１ｄ    “スタート”ボタン
６２    ＧＵＩ
６２ａ    “しない”ボタン
６２ｂ    “する”ボタン
７１    追加原稿ボタン
７２    追加原稿ＬＥＤ
１００    複写機
１１０    自動原稿読取装置
１２０    制御部
１２１    ユーザインターフェース
１２２    ＣＰＵ
１２３    ＲＯＭ
１２４    ＲＡＭ
１２５    入出力制御部
１２６    システムバス
１３０    画像出力装置
１５０    装置本体
１５１    原稿台
１７０    給紙トレイ
２０１    “スタート”ボタン
２０２    “ストップ”ボタン
２０３    “丁合いモード”設定ボタン
２０４    “両面モード”設定ボタン
２０５    “２ｉｎ１モード”設定ボタン
２０６    原稿終了ボタン
２０６ａ    追加原稿ＬＥＤ
２０７    コピー部数設定ボタン
２０７ａ    上向き矢印ボタン
２０７ｂ    下向き矢印ボタン
２０８    コピー部数表示画面
【図１】
2009055224.tif 000003
【図２】
2009055224.tif 000004
【図３】
2009055224.tif 000005
【図４】
2009055224.tif 000006
【図５】
2009055224.tif 000007
【図６】
2009055224.tif 000008
【図７】
2009055224.tif 000009
【図８】
2009055224.tif 000010
【図９】
2009055224.tif 000011
【図１０】
2009055224.tif 000012
【図１１】
2009055224.tif 000013
【図１２】
2009055224.tif 000014
【図１３】
2009055224.tif 000015
【図１４】
2009055224.tif 000016